(57)【要約】【課題】長寿命で、発光効率が高く、高輝度が得られるマイクロ波無電極ランプを提供する。【解決手段】マイクロ波無電極ランプ１０は、非導電性材料からなり、内部に発光物質が封入される封入空間２１を有し、外周部から封入空間２１に入り込む窪みとしての溝２６が設けられた透明容器２０と、溝２６の内部に先端部３１ａ，３２ａが挿入される電気的に独立した導電体３１，３２と、これら導電体の周囲が絶縁体２２，２３によって封止され、導電体３１，３２を含む絶縁体２２，２３の長手方向周囲に導電性材料からなるコイル４１，４２が巻回されている。マイクロ波無電極ランプ１０は封入空間２１内に封止された発光物質にマイクロ波を照射して高効率で発光する。【選択図】図９
2008146849.tif 000002
【特許請求の範囲】
【請求項１】
発光物質にマイクロ波を照射して発光するマイクロ波無電極ランプであって、
非導電性材料からなり、内部に発光物質が封入される封入空間を有し、外周部から前記封入空間に入り込む窪みが設けられた透明容器と、
前記窪みの内部に先端部が挿入され、それぞれが電気的に独立した複数の導電体と、
を備えていることを特徴とするマイクロ波無電極ランプ。
【請求項２】
請求項１に記載のマイクロ波無電極ランプにおいて、
前記窪みが、前記透明容器の外周に設けられた溝であることを特徴とするマイクロ波無電極ランプ。
【請求項３】
請求項１に記載のマイクロ波無電極ランプにおいて、
前記窪みが、複数の凹部であることを特徴とするマイクロ波無電極ランプ。
【請求項４】
請求項１ないし請求項３のいずれか一項に記載のマイクロ波無電極ランプにおいて、
前記導電体が、絶縁性材料によって被覆されていることを特徴とするマイクロ波無電極ランプ。
【請求項５】
請求項１ないし請求項３のいずれか一項に記載のマイクロ波無電極ランプにおいて、
前記導電体が、絶縁性材料からなる筒状部材に挿入されていることを特徴とするマイクロ波無電極ランプ。
【請求項６】
請求項１に記載のマイクロ波無電極ランプにおいて、
前記透明容器が、該透明容器の外周から突設される細管部を有し、
前記細管部が、前記透明容器との接続部において、前記窪みに相当する位置を封止した穴を有し、前記穴に前記導電体が挿入されていることを特徴とするマイクロ波無電極ランプ。
【請求項７】
請求項１ないし請求項５のいずれか一項に記載のマイクロ波無電極ランプにおいて、
前記透明容器が、該透明容器の外周から突設され、前記透明容器を照明装置に固定する支持柱を備えていることを特徴とするマイクロ波無電極ランプ。
【請求項８】
請求項７に記載のマイクロ波無電極ランプにおいて、
前記支持柱が、前記透明容器の封入空間に連通する発光物質封入孔を備えていることを特徴とするマイクロ波無電極ランプ。
【請求項９】
請求項１ないし請求項８のいずれか一項に記載のマイクロ波無電極ランプにおいて、
前記導電体の長手方向周囲に、前記導電体とは離間して配設された外部導電体がさらに備えられていることを特徴とするマイクロ波無電極ランプ。
【請求項１０】
請求項９に記載のマイクロ波無電極ランプにおいて、
前記外部導電体が、該外部導電体の長手方向周囲に巻回される導電性材料からなるコイルであることを特徴とするマイクロ波無電極ランプ。
【請求項１１】
請求項９に記載のマイクロ波無電極ランプにおいて、
前記外部導電体が、前記導電体の外周に挿着される筒状部材であり、側面にスリット状の開口部を有していることを特徴とするマイクロ波無電極ランプ。
【請求項１２】
非導電性材料からなり、内部に発光物質が封入される封入空間を有し、外周部から前記封入空間に入り込む窪みが設けられた透明容器と、
前記窪みに先端部が挿入され、それぞれが電気的に独立した複数の導電体と、
を備えていることを特徴とするマイクロ波無電極ランプと、
前記マイクロ波無電極ランプにマイクロ波を照射するマイクロ波発生部と、
が備えられていることを特徴とする照明装置。
【請求項１３】
請求項１２に記載の照明装置において、
前記マイクロ波発生部が、弾性表面波共振子を含む固体高周波発振部と導波部を備えていることを特徴とする照明装置。
【請求項１４】
非導電性材料からなり、内部に発光物質が封入される封入空間を有し、外周部から前記封入空間に入り込む窪みが設けられた透明容器と、前記窪みに先端部が挿入され、それぞれが電気的に独立した複数の導電体と、を備えるマイクロ波無電極ランプと、前記マイクロ波無電極ランプにマイクロ波を照射するマイクロ波発生部と、が備えられる照明装置と、
前記照明装置から射出された光束を、入力される画像情報に応じて変調し光学像を形成する光変調部と、
前記光変調部により形成された光学像を投写する投写部と、
が備えられていることを特徴とするプロジェクタ。
【発明の詳細な説明】
【技術分野】
【０００１】
本発明は、発光物質にマイクロ波を照射して発光するマイクロ波無電極ランプと、このマイクロ波無電極ランプを備える照明装置と、この照明装置を備えるプロジェクタに関する。
【背景技術】
【０００２】
映像信号に応じた画像または映像情報を投写するプロジェクタは、プレゼンテーションや、シアタなどに多く用いられている。これらプロジェクタの光源には、速やかに明るい投写映像を得るために、素早く点灯し、高輝度で安定した光量を確保することができること、発光スペクトルを変えずに光量を調整可能であること、ランプが長寿命であることが期待されている。このような光源としてマイクロ波無電極ランプ及びマイクロ波無電極ランプを用いた照明装置が提案されている。
【０００３】
マイクロ波無電極ランプ及び照明装置としては、膨出部とそれに連設する細管部を有する放電容器と、細管部に支持されて先端部が膨出部の放電空間内に臨む放電コンセントレータ（内部導電体）とからなるランプがあり、このランプの細管部外周に挿着される筒状の外部導電体に、上述の放電コンセントレータに放電を励起するエネルギーを供給する高周波電源を接続してなる照明装置が知られている（例えば、特許文献１参照）。
【０００４】
また、マイクロ波発生器に一端が接続される同軸伝送線にアンテナを結合し、このアンテナを介して同軸伝送線に結合された同軸共振器が設けられ、同軸共振器を構成する軸状の内導体の周囲を取り巻くドーナツ形状のランプ、または内導体の先端部が埋没する窪みを有するランプを備えた照明装置というものが知られている（例えば、特許文献２参照）。
【０００５】
【特許文献１】特開２００１−１０２００５号公報（第３頁、図２）
【特許文献２】特開２０００−３４８６８４号公報（第３、４頁、図１，３）
【発明の開示】
【発明が解決しようとする課題】
【０００６】
前述した特許文献１では、内部導電体の外周に筒状の外部導電体を設け、外部導電体に高周波電源を接続し、電界を発光部に集中させて輝度を高めている。しかしながら、このようなランプでは、発光効率が充分ではなく、供給するエネルギーに対して高い輝度が得られないという課題がある。
【０００７】
また、特許文献２によれば、マイクロ波発生器に接続される同軸伝送線にアンテナを接続し、アンテナを介して同軸伝送線に結合する同軸共振器が設けられている。同軸共振器に備えられる内導体は放電開始補助体と考えられ、電界をランプ内に効率よく集中できないという課題を有している。また、発光領域が広く点光源にはなりにくいという課題もある。
【０００８】
本発明の目的は、上述した課題を解決することを要旨とし、長寿命で、発光効率が高く、高輝度が得られるマイクロ波無電極ランプと、瞬時点灯、省電力が可能な照明装置と、この照明装置を搭載する利便性が高いプロジェクタを提供することである。
【課題を解決するための手段】
【０００９】
本発明のマイクロ波無電極ランプは、発光物質にマイクロ波を照射して発光するマイクロ波無電極ランプであって、非導電性材料からなり、内部に発光物質が封入される封入空間を有し、外周部から前記封入空間に入り込む窪みが設けられた透明容器と、前記窪みの内部に先端部が挿入され、それぞれが電気的に独立した複数の導電体と、を備えていることを特徴とする。
【００１０】
この発明によれば、マイクロ波無電極ランプ（以降、単にランプと表すことがある）にマイクロ波を照射したとき、導電体にマイクロ波の電界成分が集中する。この導電体の先端部を、発光物質が封入される封入空間内に入り込む窪みの内部に挿入しているので、導電体が電磁界中に置かれたアンテナと等価の役割を有し、しかも導電体は複数備えられているので、マイクロ波の電界成分を導電体の先端部に集中してランプの発光効率を高めることができる。
【００１１】
さらに、発光物質は、複数の導電体に挟まれた領域に電界がより集中し強く発光するので、後述するプロジェクタにおいて好ましい点光源に近づく。
【００１２】
また、複数の導電体それぞれを電気的に独立させていることから、旧来の放電電極を有するランプ、あるいは、内部導電体または外部導電体に直接電界を与えるランプに比べ、ランプの長寿命化を実現できる。
【００１３】
また、本発明のランプは、後述する照明装置に対して電気的に接続しないため、支持構造等に制約が少なく、支持構造、配設位置などの自由度が高いという利点がある。
【００１４】
また、前記窪みが、前記透明容器の外周に設けられた溝であることが好ましい。
【００１５】
このようにすれば、透明容器は溝によってくびれた略瓢箪状となる。複数の導電体をこの溝に向かって配設することから、導電体の数や配設位置の自由度が高くなるという効果がある。
【００１６】
また、前記窪みが、複数の凹部であることが望ましい。
【００１７】
窪みを凹部にすることで、窪みを上述した溝としたときと同様な効果が得られる他、透明容器の表面全体の任意の位置に窪みを形成することができ、導電体の配設の自由度をさらに高めることができる。
【００１８】
また、前記導電体が、絶縁性材料によって被覆されていることが好ましい。
【００１９】
このようにすれば、導電体の全表面を絶縁していることから、複数の導電体間のショート、導電体と後述する照明装置とのショートを防止することができる。
【００２０】
また、前記導電体が、絶縁性材料からなる筒状部材に挿入されていることが望ましい。
【００２１】
導電体を絶縁性材料からなる筒状部材に挿入することで、上述した絶縁性材料で封止する構造と同等な効果を有し、そのうえ筒状部材は容易に製造でき、導電体に筒状部材を挿着することも容易であるという効果がある。
【００２２】
また、前記透明容器が、該透明容器の外周から突設される細管部を有し、前記細管部が、前記透明容器との接続部において、前記窪みに相当する位置を封止した穴を有し、前記穴に前記導電体が挿入されていることが望ましい。
【００２３】
このようにすれば、導電体を透明容器に一体に形成された細管部に挿入しているため、構造を簡単にすることができる。
【００２４】
また、前記透明容器が、該透明容器の外周から突設され、前記透明容器を照明装置に固定する支持柱を備えていることが好ましい。
【００２５】
詳しくは、後述する実施の形態で説明するが、透明容器から突設される支持柱を照明装置に固定することで、ランプの照明装置への固定を容易に行うことができる。
【００２６】
また、前記支持柱が、前記透明容器の封入空間に連通する発光物質封入孔を備えていることが望ましい。
【００２７】
透明容器には発光物質（具体的には発光ガス）を封入する。この際、支持柱に発光物質封入孔を設けることにより、発光物質の注入及び封止が容易になるという効果がある。
【００２８】
また、前記導電体の長手方向周囲に、前記導電体とは離間して配設された外部導電体がさらに備えられていることが好ましい。
【００２９】
導電体の外周部にさらに外部導電体を設けることにより、外部導電体が電磁界中に置かれたアンテナと等価の役割を有し、マイクロ波の電界成分を内側の導電体に集中しランプの発光効率をさらに高めることができる。
【００３０】
また、前記外部導電体が、該外部導電体の長手方向周囲に巻回される導電性材料からなるコイルであることが好ましい。
【００３１】
このように外部導電体をコイルにすれば、電界の集中効果に対応してコイルの断面形状、太さ（断面積）、巻き数など自在に設定することが可能であり、製造しやすく材質も適宜選択することができる。
【００３２】
また、前記外部導電体が、前記導電体の外周に挿着される筒状部材であり、側面にスリット状の開口部を有していることが望ましい。
【００３３】
外部導電体としてスリット状の開口部を有する筒状部材を用いることにより、上述したコイルを用いる構造と同等な効果が得られ、外部導電体をコイルにすること、スリットを有する筒状部材にすることにより外部導電体を軽量化することができる。
【００３４】
また、本発明の照明装置は、非導電性材料からなり、内部に発光物質が封入される封入空間を有し、外周部から前記封入空間に入り込む窪みが設けられた透明容器と、前記窪みに先端部が挿入され、それぞれが電気的に独立した複数の導電体と、を備えていることを特徴とするマイクロ波無電極ランプと、前記マイクロ波無電極ランプにマイクロ波を照射するマイクロ波発生部と、が備えられていることを特徴とする。
【００３５】
この発明によれば、前述した発光効率が高いランプを用いることにより、同じ高周波入射電力を入力すれば高輝度の照明装置を実現できる。つまり、省電力化が図れる。
【００３６】
また、前記マイクロ波発生部が、弾性表面波共振子を含む固体高周波発振部と導波部を備えていることが好ましい。
ここで、弾性表面波共振子としては、例えば、ダイヤモンドＳＡＷ共振子が代表される。
【００３７】
ダイヤモンドＳＡＷ共振子は周波数温度特性が優れており、温度変動に対する周波数変動を抑制することができるので、点灯中においてマイクロ波出力を安定させることができる。従って、安定した輝度を維持することができる。
【００３８】
さらに、ダイヤモンドＳＡＷ共振子は、弾性表面波の位相速度を高速にすることができるという特徴を有し、より高い周波数で励振させることができること、励振信号入力から励振始動が急峻であり、瞬時にランプを点灯させることができる。
【００３９】
また、本発明のプロジェクタは、非導電性材料からなり、内部に発光物質が封入される封入空間を有し、外周部から前記封入空間に入り込む窪みが設けられた透明容器と、前記窪みに先端部が挿入され、それぞれが電気的に独立した複数の導電体と、を備えるマイクロ波無電極ランプと、前記マイクロ波無電極ランプにマイクロ波を照射するマイクロ波発生部と、が備えられる照明装置と、前記照明装置から射出された光束を、入力される画像情報に応じて変調し光学像を形成する光変調部と、前記光変調部により形成された光学像を投写する投写部と、が備えられていることを特徴とする。
【００４０】
この発明によれば、前述した照明装置を採用することにより、ランプ点灯タイミングが早く、しかも高輝度で立ち上がるため、従来のようにスイッチ入力してから所定の輝度にて映像を投写できるまでの長い待ち時間を格段に短縮することができる。
【００４１】
また、点灯及び消灯を短時間の内に繰り返すことが可能となり、ユーザーの利便性を向上させることができるという効果がある。
【００４２】
さらに、従来の放電式ランプを用いる照明装置を備えたプロジェクタと比較して、照明装置の長寿命化を実現し、照明装置交換の煩わしさを低減し、経済的効果を向上させることができる。
【発明を実施するための最良の形態】
【００４３】
以下、本発明の実施形態を図面に基づいて説明する。
図１〜図４は本発明に係る照明装置、図５〜図１３はランプの実施例を示し、図１４は、本発明に係るプロジェクタの概略構成を示している。
なお、以下の説明で参照する図は、図示の便宜上、部材ないし部分の縦横の縮尺は実際のものとは異なる模式図である。
（照明装置）
【００４４】
図１は、本発明に係る照明装置の概略構造を示す模式図である。図１において、照明装置６０は、マイクロ波発生部１００と、発光部５００と、マイクロ波発生部１００及び発光部５００を収容する遮蔽部としての照明ケース８０とを有して構成される。また、発光部５００は、ランプ１０と反射器７１とリフレクタ７０と支持部９０とを有して構成される。
【００４５】
マイクロ波発生部１００は、リフレクタ７０の背面側に配置接続されている。
なお、一般に、マイクロ波帯としての慣用的周波数は、３ＧＨｚ〜３０ＧＨｚをいうが、本発明では、ＵＨＦ帯からＳＨＦ帯に相当する３００ＭＨｚ〜３０ＧＨｚ帯をマイクロ波帯と定義する。
【００４６】
反射器７１は、導電性材料である金属材料で形成され、球面形状の曲面を有するマイクロ波反射面７２を有している。そして、反射器７１には、マイクロ波の１／４波長以下の口径を有する孔部７３が複数形成されている（図示は簡略化している）。また、マイクロ波反射面７２の球面形状は、ランプ１０の中心部の発光領域２１の略中心部が焦点となるように構成されている。このマイクロ波反射面７２はマイクロ波を反射させる。また、複数の孔部７３は、リフレクタ７０の光束反射面７０ａで反射した光束５００ｂを通過させる。
【００４７】
なお、マイクロ波反射面７２の形状は放物面形状の曲面を有していても良い。なお、マイクロ波反射面７２の形状は収束性の面では、放物面形状の曲面を有することが好ましいが、製造簡易性の面では、球面形状の曲面を有する方が有利である。
【００４８】
リフレクタ７０は石英ガラスで形成され、内面側には、ランプ１０の外面に相対して放物面形状の曲面を有する光束反射面７０ａが形成されている。光束反射面７０ａは、マイクロ波を透過し、光束を反射する誘電体多層膜により構成される。また、光束反射面７０ａの放物面形状は、リフレクタ７０の内面側に設置されるランプ１０の発光領域２１の略中心部が焦点となるように形成されている。なお、光束反射面７０ａの形状は球面形状の曲面を有していても良い。
【００４９】
ここで、リフレクタ７０の開放端部には、反射器７１の開放端部が係合することにより、リフレクタ７０に反射器７１が固定される。
【００５０】
ランプ１０は、発光物質が収容された透明容器２０と、一対の導電体３１，３２とから構成され、導電体３１，３２それぞれの先端部３１ａ，３２ａが、透明容器２０の封入空間２１（発光領域２１と表すことがある）内まで入り込んだ状態で透明容器２０固定されている。そして、ランプ１０は、支持部９０によりリフレクタ７０の内側底部に固定されている。なお、ランプ１０の詳しい構造については、後述する実施例にて図５〜図１３を参照して説明する。
【００５１】
支持部９０は棒状の石英ガラスで形成され、一端はランプ１０の透明容器２０の凸領域を、導電体３１，３２（図５も参照する）の長手方向に対して略垂直に接合され、他端はリフレクタ７０に支持固定されている。これにより、ランプ１０は、リフレクタ７０の内面側の所定位置で支持され、内面側に突出した形態でリフレクタ７０に固定される。
【００５２】
なお、ランプ１０の支持構造は図１に示す支持部９０を用いる構造に限らずランプ１０が支持固定されれば限定されない。例えば、導電体３１，３２の外側端部をリフレクタ７０の所定位置に固定する構造とすることができる。
【００５３】
照明ケース８０は、マイクロ波が照明装置６０の外部へ漏洩することにより、人体や周辺の電子機器等に悪影響が起きることを防止するために設置されている。このため、照明ケース８０は、マイクロ波を遮蔽する導電性材料（金属材料）を用いて形成される。
【００５４】
また、照明ケース８０において、発光部５００を構成する反射器７１に相対する面側に、略円形状の孔部８１が形成されており、孔部８１の縁辺は、反射器７１の開放端部外面と同様の曲面を有する内面となるように形成されている。これにより、照明ケース８０は、孔部８１に反射器７１の開放端部を係合させて反射器７１を固定する。従って、照明装置６０は、発光部５００の反射器７１が照明ケース８０から突出した形態となる。また、照明ケース８０は、マイクロ波発生部１００と発光部５００とを収容している。本実施形態では、照明ケース８０と反射器７１とにより、照明装置６０からマイクロ波が漏洩することを防止している。
【００５５】
なお、照明ケース８０は、マイクロ波の波長の１／４波長以下の口径を有するような、網目状に編んだものや複数の孔を有するように形成されていても良い。また、照明ケース８０は、マイクロ波を遮蔽する構成をとることができるのであれば、他の部材を用いても良い。
【００５６】
マイクロ波発生部１００は、高周波信号を生成しマイクロ波として反射器７１へ向けて放射する（マイクロ波発生部１００の構成については後述する）。放射されるマイクロ波は、略平面波であり、リフレクタ７０の光束反射面７０ａを透過し、反射器７１に進行する。反射器７１に到達したマイクロ波は、マイクロ波反射面７２により反射される。反射されたマイクロ波は、ランプ１０の中心部の発光領域２１に収束する。発光領域２１に収束されたマイクロ波により、発光領域２１において、封入される発光物質が励起（及び電離）されプラズマ発光することにより、発光領域２１が発光する。
【００５７】
ランプ１０の発光領域２１が発光することにより、光束が放射される。放射された光束の一部は、リフレクタ７０の光束反射面７０ａに達して反射される。本実施形態では、光束反射面７０ａで反射された光束５００ｂは、照明光軸Ｌ（一点鎖線で図示）に略平行な平行光束となる。そして、反射器７１に形成された複数の孔部７３を通過し光束が射出される。
【００５８】
次に、マイクロ波発生部の構成について図面を参照して説明する。
図２は、マイクロ波発生部の概略構成を示すブロック図である。図２において、マイクロ波発生部１００は、高周波信号を出力する固体高周波発振部１１０と、固体高周波発振部１１０から出力された高周波信号をマイクロ波として放射する導波部１５０とから構成されている。
【００５９】
固体高周波発振部１１０は、電源１１１と、固体高周波発振器としての弾性表面波（Ｓｕｒｆａｃｅ  Ａｃｏｕｓｔｉｃ  Ｗａｖｅ：ＳＡＷ）発振器と、第１増幅器１１２とを有して構成される。本実施形態では弾性表面波発振器としてダイヤモンドＳＡＷ発振器２０２を採用している。導波部１５０は、アンテナ１５１と安全器としてのアイソレータ１５２とを有して構成される。
【００６０】
固体高周波発振部１１０について詳細に説明する。電源１１１は、ダイヤモンドＳＡＷ発振器２０２と第１増幅器１１２とに電力を供給している。ダイヤモンドＳＡＷ発振器２０２の後段は、第１増幅器１１２の前段に接続されている。そして、ダイヤモンドＳＡＷ発振器２０２から出力された高周波信号は、第１増幅器１１２で増幅された後に出力される。この第１増幅器１１２から出力される高周波信号が、固体高周波発振部１１０から出力される高周波信号となる。本実施形態では、固体高周波発振部１１０から、ランプ１０内に封入される発光物質を励起して発光させる高周波出力レベルに増幅された２．４５ＧＨｚ帯の高周波信号を出力する。
【００６１】
次に、導波部１５０について詳細に説明する。導波部１５０は、固体高周波発振部１１０から出力された高周波信号を導波してマイクロ波１００ａとして放射するものであり、マイクロ波１００ａを放射させるアンテナ１５１と反射波対策としてアイソレータ１５２とを備えている。
【００６２】
アンテナ１５１は、本実施形態では、パッチアンテナとして構成されており、単一指向性を有するマイクロ波を放射する平面アンテナとなっている。このアンテナ１５１により、略平面波のマイクロ波１００ａを放射することができる。
【００６３】
アイソレータ１５２は、第１増幅器１１２の後段で、アンテナ１５１との間に設置されている。そのため、アンテナ１５１からマイクロ波１００ａを放射した結果として、対象物となる反射器７１、ランプ１０及び照明ケース８０などからの反射波が固体高周波発振部１１０に戻ることを阻止し、第１増幅器１１２などの故障を防止している。
【００６４】
続いて、ダイヤモンドＳＡＷ発振器について図面を参照して説明する。
図３は、固体高周波発振器としてのダイヤモンドＳＡＷ発振器の概略構成を示すブロック図である。図３において、ダイヤモンドＳＡＷ発振器２０２は、移相回路２１０、ダイヤモンドＳＡＷ共振子３１０、第２増幅器２２０および電力分配器２３０でループ回路２４０を構成し、電力分配器２３０の一方の出力側にバッファ回路２５０を接続した構成としている。
【００６５】
移相回路２１０は、電源１１１から制御電圧を入力してループ回路２４０の位相を可変させるものである。これら各ブロックは、一定の特性インピーダンス、具体的には５０Ωに全て整合接続されている。なお、ダイヤモンドＳＡＷ共振子３１０は、第２増幅器２２０が飽和状態となる入力電圧が供給されるように第２増幅器２２０の入力側に接続している。
【００６６】
これにより、ダイヤモンドＳＡＷ共振子３１０を用いてＧＨｚ帯での高周波信号をダイレクト発振させることが可能となる。また、整合を保ったまま第２増幅器２２０の出力パワーを電力分配器２３０からバッファ回路２５０を介して外部に出力することができる。
【００６７】
また、この回路構成により、ダイヤモンドＳＡＷ共振子３１０に印加する電力を最小限として連続発振状態を継続することが可能となる。また、移相回路２１０により、高周波信号に周波数変調をかけることが可能となり、ランプ１０に対して、マイクロ波周波数を可変・調整することが可能になる。なお、移相回路２１０は用いなくても良く、その場合には、固体高周波発振器はダイヤモンドＳＡＷ共振子３１０の特性により一意的に決まる周波数で発振する固定発振器となる。
【００６８】
次に、ダイヤモンドＳＡＷ発振器から出力される信号の特性について図面を参照して説明する。
図４は、ダイヤモンドＳＡＷ発振器から出力される信号の周波数と強度との関係を示すグラフである。図４において、横軸は周波数を示し、縦軸は出力信号の強度を示している。
【００６９】
ダイヤモンドＳＡＷ発振器２０２から出力される信号は、特定の周波数ｆ1の高周波信号（ＧＨｚ帯）のみを出力する。また、図４に示すように急峻なダイレクト発振ができる。本実施形態では、特定の周波数ｆ1は、２．４５ＧＨｚ帯の高周波信号を出力する。
【００７０】
従って、前述した本発明の照明装置６０は、ランプ１０に導電体３１，３２を有し、導電体３１，３２の先端部３１ａ，３２ａを、発光物質が封入される封入空間２１内に入り込む窪みの内部に挿入している。従って、導電体３１，３２が電磁界中に置かれたアンテナと等価の役割を有し、マイクロ波の電界成分を導電体の先端部に集中してランプの発光効率を高めることができる。さらに、導電体３１，３２の先端部３１ａ，３２ａに挟まれた領域にマイクロ波が集中するため、点光源に近い発光領域が得られるという効果がある。
【００７１】
また、導電体３１，３２それぞれを電気的に独立させていることから、旧来の放電電極を有するランプ、あるいは、内部導電体または外部導電体に直接電界を与えるランプに比べ、ランプ１０の長寿命化を実現できる。
【００７２】
また、ランプ１０は、照明装置６０に装着した状態において、電気的に接続しないため、支持構造に制約が少なく、支持構造、配設位置などの自由度が高いという利点がある。
【００７３】
また、マイクロ波発生部１００にダイヤモンドＳＡＷ発振器２０２を用いることにより、出力される信号は特定の周波数ｆ1の高周波信号（ＧＨｚ帯）のみを出力し、急峻なダイレクト発振ができることから、瞬時にランプ１０を点灯させ、短時間で消灯させることができる。
【００７４】
また、ダイヤモンドＳＡＷ発振器２０２は、高周波入射電力により周波数を変えずに励振強度を調整することが可能であることから発光スペクトルを変えずに調光が可能となる利点を有する。
【００７５】
さらに、ダイヤモンドＳＡＷ共振子３１０は周波数温度特性が優れており、温度変動に対する周波数変動を抑制することができるので、マイクロ波出力を安定させることができる。従って、点灯時において安定した輝度を維持することができる。
【００７６】
また、本発明の照明装置６０は、発光効率が高いランプを用いることにより、同じ高周波入射電力であれば高輝度の照明装置を実現できる。つまり、省電力化が図れる。
（ランプの構造）
【００７７】
続いて、上述した照明装置６０に用いるランプ１０の具体的な実施例について図面を参照して説明する。
（実施例１）
【００７８】
図５は、実施例１に係るランプの構造を示す正面図である。図５において、ランプ１０は、非導電性材料で形成される透明容器２０と、透明容器２０の中心部に向かって先端部３１ａ，３２ａが対向する一対の導電体３１，３２とから構成されている。
【００７９】
透明容器２０は、石英ガラスまたは透明セラミックス等により形成される。透明容器２０には、マイクロ波により発光する発光物質を充填した封入空間２１（発光領域２１と表すことがある）が形成されている。そして、透明容器２０の外周には窪みとしての溝２６が形成されている。このことにより、透明容器２０は、溝２６によってくびれた略瓢箪状の形状であって、溝２６の内側は封入空間２１の大部分の球形範囲よりも内側に入り込む深さを有している。
【００８０】
導電体３１，３２は、熱膨張係数が小さく耐熱性が高い材料が用いられる。具体的にはタングステン合金やステンレス合金等が適している。導電体３１，３２それぞれの先端部３１ａ，３２ａは溝２６の断面形状に略相似形状をしている。なお、導電体３１，３２は互いに離間し、また、前述したリフレクタ７０（図１、参照）とも離間し、電気的に独立している状態（無給電の状態）であるので、本発明のランプ１０は、電極を有しない無電極構造である。
【００８１】
透明容器２０と導電体３１，３２とは、溝２６と先端部３１ａ，３２ａとの間において、耐熱性を有する接着剤あるいは金属ロウ材を用いて固定することで一体化される。また、ランプ１０は、支持部９０によってリフレクタ７０に固定される。
【００８２】
なお、透明容器２０は、中空の球体を製造した後に変形可能な温度まで加熱し、溝２６の断面形状（例えば、導電体３１，３２の先端部３１ａ，３２ａの形状を有するバンド）にてバンド締めを行うことにより形成することができる。発光物質の封入は、透明容器２０に小さな貫通孔（図示せず）を設け、封入空間２１の内部に発光物質を封入した後、封止部材にて封止することで行うことができる。
【００８３】
また、封入空間２１に封入される発光物質としては、ネオン、アルゴン、クリプトン、キセノン等の希ガスや、これらのガスと共に水銀、金属ハロゲン化合物等であってもよい。
【００８４】
導電体３１，３２は、マイクロ波を照射したときにマイクロ波の電界成分を集中させるために設けており、電磁界中に置かれたアンテナと等価の役割を有し、マイクロ波の電界成分を導電体３１，３２（特に先端部）に集中してランプの発光効率を高めるために備えている。従って、先端部３１ａ，３２ａに挟まれた領域は、より電界が集中するため、発光の強度も高まり、点光源に近い発光となる。
【００８５】
また、透明容器２０に設けられる窪みは、透明容器２０の外周に設けられた溝２６であり、導電体３１，３２をこの溝２６に対向して配設することから、導電体の数や配設位置の自由度が高くなるという効果がある。
（実施例２）
【００８６】
次に、実施例２に係るランプの構造について説明する。実施例２は、実施例１に比べ窪みの形状が異なることを特徴としている。実施例１と共通部分には同じ符号を附している。
図６は、実施例２に係るランプの構造を示す正面図である。図６において、透明容器２０の外周には、ほぼ対向する位置に二つの窪みとしての凹部２５ａ，２５ｂが形成されている。
【００８７】
導電体３１，３２それぞれの先端部３１ａ，３２ａは凹部２５ａ，２５ｂの断面形状に略相似形状をしている。なお、導電体３１，３２は互いに離間し、また、前述したリフレクタ７０とも離間し、電気的に独立した状態（無給電の状態）であるので、本発明のランプ１０は、電極を有しない無電極構造である。
【００８８】
透明容器２０と導電体３１，３２とは、凹部２５ａ，２５ｂと先端部３１ａ，３２ａとの間において、耐熱性を有する接着剤あるいは金属ロウ材を用いて固定することで一体化される。また、ランプ１０は、支持部９０によってリフレクタ７０に固定される。
【００８９】
凹部２５ａ，２５ｂは、中空の球体を製造した後に変形可能な温度まで加熱し、導電体３１，３２それぞれの先端部３１ａ，３２ａの断面形状を有する成形治具を押圧して成形することができる。発光物質の封入は、透明容器２０に小さな貫通孔（図示せず）を設け、内部に発光物質を封入し封止部材にて封止することで行うことができる。
【００９０】
実施例２によれば、透明容器２０に設けられる窪みが凹部２５ａ，２５ｂであり、この窪みを凹部にすることで、上述した窪みを溝２６にしたときと同様な効果が得られる他、導電体３１，３２の先端部３１ａ，３２ａの位置が規制しやすなり、また、透明容器２０の表面全体の任意の位置に複数の窪みを形成することができるという効果もある。
（実施例３）
【００９１】
次に、実施例３に係るランプの構成について説明する。実施例３は、実施例１における溝２６を有する構造を基本とし、実施例１に比べ導電体の数を３本設けたことに特徴を有している。なお、導電体の数は２本（実施例１）または３本に限らず、導電体それぞれが互いに接触しない範囲であれば限定されない。実施例１と共通部分には同じ符号を附している。
図７は、実施例３に係るランプの構造を示す平面図である。図７において、３本の導電体３１，３２，３３は、封入空間２１の中央部に向かってほぼ等間隔にて配設されている。
【００９２】
導電体３１，３２，３３それぞれの先端部３１ａ，３２ａ，３３ａは溝２６の断面形状に略相似形状をしている。なお、導電体３１，３２，３３は互いに離間し、また、前述したリフレクタ７０とも離間する長さであって、相互に電気的に浮いている状態（無給電の状態）である。透明容器２０と導電体３１，３２，３３の接合方法は、実施例１と同じ方法を採用できる。
【００９３】
なお、図示は省略するが、実施例２による窪みとしての凹部を設ける構造であっても３本以上の導電体を設けることができる。このような凹部を設ける構造では、透明容器２０の全外周面の任意の位置に凹部を形成することができる。このような構造では、複数の導電体は、封入空間２１の略中心から放射状に配設することがより好ましい。
【００９４】
このように、導電体の数を多く設けることにより、マイクロ波の電界をより集中することができ、発光効率を高めることができる。
（実施例４）
【００９５】
次に、実施例４に係るランプの構成について説明する。実施例４は、導電体を絶縁性材料にて封止していることを特徴としている。この構造は、前述した実施例１〜実施例３の導電体にも適合することができるが、ここでは、実施例１の溝と２本の導電体を有する構造を例示して説明する。なお、実施例１と共通部分には同じ符号を附している。
図８は、実施例４に係るランプの構造を示す正面図である。図８において、先端部３１ａ，３２ａが対向する導電体３１，３２それぞれは、絶縁性材料からなる絶縁体２２，２３によって全周囲を覆われている。
【００９６】
絶縁体２２，２３の先端部２２ａ，２３ａの断面形状は、溝２６の断面形状と略相似形状をしている。また、導電体３１，３２の先端部３１ａ，３２ａは、溝２６の内部（つまり、封入空間２１の他の球形部よりも内側）に入り込んでいる。
【００９７】
絶縁体２２，２３の材料としては、透明容器２０と同じ石英ガラスや透明セラミックスが好ましいが、耐熱性がすぐれ、熱膨張率が透明容器２０または導電体３１，３２に近く、導電体３１，３２との密着性がよい絶縁性材料であればよく、特に限定されない。
【００９８】
また、導電体３１，３２の先端部３１ａ，３２ａの近傍には絶縁体２２，２３を設けず、金属部分を露出させ、この金属部分を透明容器２０に接合する構造としてもよい。このようにすれば、先端部３１ａ，３２ａ間の距離を絶縁体の厚さ分だけ近づけることができる。
【００９９】
このように、導電体３１，３２の全表面を絶縁体２２，２３で絶縁することにより複数の導電体を用いる場合において、それぞれの導電体間のショート、照明装置６０（特に、リフレクタ７０）とのショートを防止することができる。
（実施例５）
【０１００】
続いて、実施例５について図面を参照して説明する。実施例５は、導電体の周囲に外部導電体としてのコイルを巻回していることに特徴を有している。なお、実施例５の構造は、前述した実施例１〜実施例３にも応用できるが、ここでは、前述した実施例４（図８、参照）にコイルをさらに設ける構造を例示し、異なる個所を中心に説明する。
図９は、実施例５に係るランプの構造を示す正面図である。図９において、導電体３１，３２を含む絶縁体２２，２３の外周には、外部導電体としてのコイル４１，４２が巻回されている。
【０１０１】
図９では、コイル４１，４２それぞれは、導電体３１，３２の概ね長手方向範囲に巻回されている。また、本実施例ではコイル４１，４２の材質としてはＣｕを採用するが、導電性材料で且つ耐熱性が高い材料であればＣｕに限らない。
なお、図９ではコイル４１，４２の巻数を４巻きとしているが、巻数は４巻きに限らずもっと多くても少なくてもよい。
【０１０２】
また、コイル４１とコイル４２の巻数は同じでなくてもよく、どちらか一方のみの片巻き構成としてもよい。さらに、巻き方向を図９に示す方向とは逆巻きとしてもよく、コイル４１とコイル４２とをそれぞれ逆方向に巻く構成としてもよい。
【０１０３】
この際、導電体３１，３２は、マイクロ波を照射したときにマイクロ波の電界成分を集中させるために設けており、外部導電体（つまり、コイル４１，４２）は電磁界中に置かれたアンテナと等価の役割を有し、マイクロ波の電界成分を導電体３１，３２に集中してランプの発光効率を高めるために備えている。
【０１０４】
また、コイル４１，４２は、概ね導電体３１，３２の長手方向の範囲にあれば、透明容器２０側や透明容器２０から離間した外側端部方向に偏った位置に配設しても、一方を内側に他方を外側に配設してもよい。また、このようにコイル４１，４２を配設する場合においても、左右の巻数は同じでなくてもよく、どちらか一方のみの片巻き構成としてもよい。
【０１０５】
また、コイル４１とコイル４２とを透明容器２０の位置で連続した一つのコイルとするする構造も採用できる。
【０１０６】
さらに、コイル４１とコイル４２とを連続し、透明容器２０及び導電体３１，３２の外周を覆うように巻回するように構成してもよく、この場合、コイルの巻き外径は、全体を同じ巻き外径としても、透明容器２０と導電体３１，３２とで巻き外径を変えてもよい。
【０１０７】
なお、コイル４１，４２の巻回方法としては、導電体（絶縁体含む）３１，３２それぞれにコイル４１，４２を巻回した後、透明容器２０に接合しても、導電体（絶縁体含む）３１，３２を透明容器２０に接合した後、コイル４１，４２を巻回する方法としてもよい。
【０１０８】
また、実施例５で説明したコイル４１，４２のコイル線断面形状は、円形、正方形、扁平な四角形、三角形、六角形、台形や楕円形としてもよい。
【０１０９】
また、本実施例では、導電体３１，３２を覆う絶縁体２２，２３の外周にコイル４１，４２を巻回して、コイル４１，４２と導電体３１，３２とのショートを防止しているが、コイル４１，４２が、耐熱性を有する絶縁性材料で被覆されていれば、導電体３１，３２に直接コイル４１，４２を巻回する構造としてもよい。
【０１１０】
このように、外部導電体としてコイル４１，４２を用いることにより、コイル４１，４２は電磁界中に置かれたアンテナと等価の役割を有し、マイクロ波の電界成分を導電体３１，３２に集中してランプの発光効率をより高めることができる。また、コイルは、断面形状、断面積、巻き数など自在に設定することが可能であり、製造しやすく材質も適宜選択することができる。
（実施例６）
【０１１１】
次に、本発明の実施例６について図面を参照して説明する。実施例５の変形例であって、実施例５による絶縁体２２，２３を透明容器２０と一体で形成していることに特徴を有している。
図１０は、実施例６に係るランプの構造を示す正面図である。図１０において、透明容器２０には、対向する一対の細管部３５，３６が突設されている。この細管部３５，３６それぞれには、導電体３１，３２を挿入する穴３５ａ，３６ａが穿設されている。そして、穴３５ａ，３６ａそれぞれは、導電体３１，３２の先端部３１ａ，３２ａが、透明容器２０の内側まで達することができる深さ位置で封止されており、この封止位置まで導電体３１，３２が挿入される。
【０１１２】
つまり、透明容器２０は、前述した実施例２（図６、参照）に設けられた凹部２５ａ，２５ｂと同じように封入空間２１の中央部方向に突出した部位が形成され、凹部２５ａ，２５ｂに相当する部分に導電体３１，３２の先端部３１ａ，３２ａが入り込む形態をなしている。そして、細管部３５，３６の外周には、コイル４１，４２が巻回される。
【０１１３】
なお、導電体３１，３２を穴３５ａ，３６ａに挿入した後、外側端部３５ｂ，３６ｂを封止してもよい。
また、導電体３１，３２を細管部３５，３６にインサート成形する構造としてもよい。
【０１１４】
また、実施例６における細管部３５，３６を透明容器２０と一体形成する構造は、前述した実施例４（図８、参照）のコイルを有しない構造にも応用可能である。
【０１１５】
従って、実施例６の構造では、導電体３１，３２を透明容器２０に一体に形成された細管部３５，３６に挿入しているため、透明容器２０と導電体３１，３２を接合して一体化する構造よりも、構造を簡単にすることができる。
（実施例７）
【０１１６】
続いて、本発明の実施例７について図面を参照して説明する。実施例７は、前述した絶縁体として絶縁性材料からなる筒状部材を用いたことに特徴を有している。ここでは、実施例１（図５、参照）のランプに設けられる導電体に筒状部材を装着し、さらに、コイルを巻回した構造を例示している。
図１１は、実施例７に係るランプの構造を示す正面図である。図１１において、棒状の導電体３１，３２には、絶縁性材料からなる筒状部材２７，２８が挿着されている。導電体３１，３２と筒状部材２７，２８の貫通孔２７ａ，２８ａとは、遊嵌の関係であり、筒状部材２７，２８を挿着した後、耐熱性を有する接着剤にて固定する。
【０１１７】
なお、導電体３１，３２を透明容器２０に接合した後、筒状部材２７，２８を挿着しコイル４１，４２を巻回してもよく、コイル４１，４２を巻回した筒状部材２７，２８を導電体３１，３２に挿着してもよい。あるいは、導電体３１，３２と筒部材２７，２８とコイル４１，４２を一体化してから透明容器２０に接合する工程としてもよい。
【０１１８】
また、本実施例の筒状部材２７，２８を用いる構造は、透明容器２０に窪みとして凹部を有する構造にも適合できる。さらに、コイルを有しない構造にも応用できる。
【０１１９】
上述したように、導電体３１，３２に筒状部材２７，２８にを挿入することで、前述した実施例５（図９、参照）のように導電体３１，３２を絶縁性材料で封止する構造と同等な効果を有し、そのうえ筒状部材２７，２８は形状が単純で容易に製造でき、導電体３１，３２に筒状部材２７，２８を挿着することも容易である。
（実施例８）
【０１２０】
次に、本発明の実施例８について図面を参照して説明する。実施例８は、前述したコイルに代えて側面部にスリットを有する筒形状の外部導電体を用いることを特徴としている。ここでは、前述した実施例４（図８、参照）のランプにおいて、外部導電体を付加した構造を例示している。
図１２は、実施例８に係るランプの構造を示す正面図である。図１２において、導電体３１，３２を覆う絶縁体２２，２３には、金属（具体的にはＣｕ）からなる筒状部材の外部導電体５１，５２が挿着されている。外部導電体５１には複数のスリット状の開口部５３が相互に間挿するように開設され、外部導電体５２にも複数のスリット状の開口部５４が相互に間挿するように開設されている。図１２では、外部導電体５１，５２は共に導電体３１，３２それぞれの長手方向を覆う範囲にわたって配設されている。この外部導電体５１，５２は、前述したコイルと同様な機能を有する。
【０１２１】
なお、外部導電体５１，５２は、図１２では、それぞれ同じ形状で透明容器２０に対して対称に配設される場合を例示しているが、左右の形状を変えてもよく、どちらか一方のみの構成としてもよい。
また、開口部５３，５４の数や大きさ、形状も任意に組み合わせて構成してもよい。
【０１２２】
このようにすれば、外部導電体としてスリット状の開口部５３，５４を有する筒状の外部導電体５１，５２を用いることにより、前述した実施例５（図９、参照）のようにコイル４１，４２を用いる構造と同等な効果が得られる。
また、外部導電体をコイルにすること、スリットを有する筒状部材にすることにより外部導電体を軽量化することができる。
（実施例９）
【０１２３】
続いて、本発明の実施例９について図面を参照して説明する。実施例９は、透明容器２０に支持柱を設けていることを特徴とし、前述した実施例１〜実施８に記載のランプそれぞれに適合できるが、ここでは、実施例５（図９、参照）に記載のランプに支持柱を設けた構造を例示して説明する。従って、支持柱以外の部位は実施例５に準じ、同じ符号を附して説明する。
図１３は、実施例９に係るランプの構造を示す正面図である。ランプ１０は、透明容器２０と、絶縁体２２，２３に封止された導電体３１，３２と、外部導電体としてのコイル４１，４２とを有して構成されている。
【０１２４】
透明容器２０には、図１３に示す位置に導電体３１，３２に対して略垂直方向に支持柱２９が突設されている。この支持柱２９は、図１に記載される支持部９０に相当し、照明装置６０にランプ１０を支持固定する機能を有する。従って、支持柱２９の端部は、リフレクタ７０の内側底部に固定される。
（実施例９の変形例）
【０１２５】
続いて、実施例９の変形例について図１３を参照して説明する。なお、この変形例は、図１３において二点鎖線で表している。支持柱２９には、透明容器２０の封入空間２１の内外を連通する発光物質封入孔としての貫通孔２９ａが設けられている。この貫通孔２９ａは、封入空間２１に発光物質を注入する際の注入孔であって、封入空間２１内に発光物質を注入した後、封止部材２４を用いて密封封止される。
【０１２６】
上述した実施例９及び変形例によれば、透明容器２０に支持柱２９を設けており、この支持柱２９を照明装置６０（つまり、リフレクタ７０の底部）に固定することで、ランプ１０の照明装置６０への固定を容易に行うことができる。
【０１２７】
また、この支持柱２９に、透明容器２０の封入空間２１に連通する貫通孔２９ａを設けることにより、発光物質の注入及び封止を容易に行えるという効果がある。
（プロジェクタ）
【０１２８】
続いて、前述した照明装置を適用したプロジェクタについて図面を参照して説明する。
図１４は、本発明のプロジェクタの概略構成を示すブロック図である。図１４において、プロジェクタ４００は、前述した照明装置６０と光学系４１０とから構成されている。
光学系４１０は、照明光学系４６０と、光変調部４７０と、色合成光学系４８０と、投写部４９０とを有して構成されている。また、照明装置６０は、マイクロ波発生部１００と発光部５００とを有して構成される。
【０１２９】
次に、プロジェクタ４００の動作について説明する。マイクロ波発生部１００からはマイクロ波を放射し、発光部５００は、マイクロ波発生部１００から放射されたマイクロ波により発光する。また、照明光学系４６０は、照明装置６０から射出された光束の照度を均一化し、各色光に分離する。光変調部４７０は、照明光学系４６０で分離された各色光の光束に対して画像情報に応じて変調して光学像を形成する。色合成光学系４８０は、照明光学系４６０で色分離され光変調部４７０で変調された各色光の光学像を合成し、投写部４９０にて光学像を投写する。なお、照明装置６０は、マイクロ波発生部１００と発光部５００とを照明ケース８０（図１、参照）によりマイクロ波を遮蔽すると共にユニット化されている。
【０１３０】
本発明のプロジェクタ４００は、前述した照明装置６０を搭載しているために、ランプ点灯タイミングが早く、しかも高輝度で立ち上がるため、従来の放電式ランプを用いる照明装置を搭載するプロジェクタよりもスイッチ入力してから所定の輝度にて映像を投写できるまでの待ち時間を格段に短縮することができる。
【０１３１】
また、消灯にかかる時間も短くでき、点灯及び消灯を短時間の内に繰り返すことが可能となり、利便性を向上させるという効果がある。
【０１３２】
さらに、搭載されるランプ１０はマイクロ波無電極ランプであり、従来の放電式ランプを用いる照明装置を備えたプロジェクタと比較して、照明装置６０の長寿命化を実現し、照明装置交換の煩わしさを軽減し、経済的効果を向上させることができる。
【０１３３】
なお、本発明は前述の実施の形態に限定されるものではなく、本発明の目的を達成できる範囲での変形、改良等は本発明に含まれるものである。
例えば、前述した実施の形態では、ランプ１０は、照明装置６０に対して支持部９０または支持柱２９を介して固定した例を示したが、導電体３１，３２を絶縁材を介して直接リフレクタ７０に固定する構造としてもよい。
【０１３４】
また、前述した実施例１〜実施例９では、透明容器２０と導電体３１，３２を直接または絶縁体２２，２３を介して接合して一体化する例をあげ説明したが、透明容器２０と導電体３１，３２とをそれぞれ単独系とし、照明装置６０に装着する際に接合する構造としてもよい。
【０１３５】
また、前述した実施の形態で説明したマイクロ波無電極ランプ及び照明装置は、プロジェクタの光源として適用した例を示しているが、プロジェクタとしては、フロントプロジェクタに限らずリアプロジェクタに適用できる。また、小型軽量の照明装置は、他の光学機器に適用しても良く、航空、船舶、車輌などの照明機器や、屋内照明機器などへも好適に適用することができる。
【図面の簡単な説明】
【０１３６】
【図１】本発明に係る照明装置の概略構造を示す模式図。
【図２】本発明に係るマイクロ波発生部の概略構成を示すブロック図。
【図３】本発明に係るダイヤモンドＳＡＷ発振器の概略構成を示すブロック図。
【図４】本発明に係るダイヤモンドＳＡＷ発振器から出力される信号の周波数と強度との関係を示すグラフ。
【図５】本発明の実施例１に係るランプの構造を示す正面図。
【図６】本発明の実施例２に係るランプの構造を示す正面図。
【図７】本発明の実施例３に係るランプの構造を示す平面図。
【図８】本発明の実施例４に係るランプの構造を示す正面図。
【図９】本発明の実施例５に係るランプの構造を示す正面図。
【図１０】本発明の実施例６に係るランプの構造を示す正面図。
【図１１】本発明の実施例７に係るランプの構造を示す正面図。
【図１２】本発明の実施例８に係るランプの構造を示す正面図。
【図１３】本発明の実施例９及び変形例に係るランプの構造を示す正面図。
【図１４】本発明のプロジェクタの概略構成を示すブロック図。
【符号の説明】
【０１３７】
１０…マイクロ波無電極ランプ（ランプ）、２０…透明容器、２１…封入空間（発光領域）、２２，２３…絶縁体、２６…窪みとしての溝、３１，３２…導電体、３１ａ，３２ａ…導電体の先端部、４１，４２…外部導電体としてのコイル。
【図１】
2008146849.tif 000003
【図２】
2008146849.tif 000004
【図３】
2008146849.tif 000005
【図４】
2008146849.tif 000006
【図５】
2008146849.tif 000007
【図６】
2008146849.tif 000008
【図７】
2008146849.tif 000009
【図８】
2008146849.tif 000010
【図９】
2008146849.tif 000011
【図１０】
2008146849.tif 000012
【図１１】
2008146849.tif 000013
【図１２】
2008146849.tif 000014
【図１３】
2008146849.tif 000015
【図１４】
2008146849.tif 000016